【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
不連続強化繊維を有する複合特徴部を形成する方法であって、
各々が一方向性強化繊維を有する複数の樹脂注入繊維セグメントを製造すること、
前記樹脂注入繊維セグメントを基板上に配置すること、及び
前記基板上に配置された樹脂注入繊維セグメントの前記強化繊維が、所望の参照方向に対して実質的に整列されるように、前記樹脂注入繊維セグメントを配列すること、を含む方法。
【請求項２】
前記樹脂注入繊維セグメントを製造することは、廃物繊維プリプレグを個片に切り刻むことを含む、請求項１に記載の方法。
【請求項３】
前記樹脂注入繊維セグメントを製造することは、前記強化繊維に沿って及び前記強化繊維の間で繊維プリプレグを個片に分割することによって実行される、請求項１又は２に記載の方法。
【請求項４】
前記樹脂注入繊維セグメントを前記基板上に配置することは、
アプリケータを前記基板上方で移動させること、及び
前記アプリケータが前記基板上方を移動しながら、前記アプリケータから前記樹脂注入繊維セグメントを前記基板上に分配することを含む、請求項１から３のいずれか一項に記載の方法。
【請求項５】
前記樹脂注入繊維セグメントを前記基板上に配置することは、前記樹脂注入繊維セグメントを空気流の中に導入すること、及び前記空気流を用いて、アプリケータヘッドから前記樹脂注入繊維セグメントを前記基板上に流れ出させることによって実行される、請求項１から４のいずれか一項に記載の方法。
【請求項６】
前記樹脂注入繊維セグメントを配列することは、前記樹脂注入繊維セグメントが前記基板上に配置された後に実行される、請求項１から５のいずれか一項に記載の方法。
【請求項７】
前記樹脂注入繊維セグメントが前記基板上に配置される前に、樹脂を前記基板に塗布することを更に含む、請求項１から６のいずれか一項に記載の方法。
【請求項８】
前記樹脂注入繊維セグメントが前記基板上に配置される前に、前記樹脂注入繊維セグメントの各々の少なくとも一端に樹脂を塗布することを更に含む、請求項１から７のいずれか一項に記載の方法。
【請求項９】
複合材料の複数の層を含む複合ラミネート構造体レイアップであって、
前記層の各々が、実質的に整列された繊維方向を有する複数の個々の切り刻まれた繊維プリプレグセグメントを含む、複合ラミネート構造体レイアップ。
【請求項１０】
前記切り刻まれた繊維プリプレグセグメントの前記繊維方向が、前記複合ラミネート構造体を通る非直線の荷重経路に実質的に整列される、請求項９に記載の複合ラミネート構造体レイアップ。
【請求項１１】
前記個々の切り刻まれた繊維プリプレグセグメントの各々が、約６：１のアスペクト比を有する、請求項９に記載の複合ラミネート構造体レイアップ。
【請求項１２】
基板の上方で移動し、実質的に整列された、切り刻まれた樹脂注入繊維セグメントの少なくとも一つのストリームを前記基板上に分配するように適合されたアプリケータを含む、複合構造体をレイアップするための装置。
【請求項１３】
前記基板上方のあらかじめ選択された経路に沿って前記アプリケータを移動させるためのコンピュータ制御のマニピュレータを更に含む、請求項１２に記載の装置。
【請求項１４】
前記アプリケータが、
連続樹脂注入繊維の供給部、及び
前記連続樹脂注入繊維を個々の樹脂注入繊維セグメントに切り刻むためのチョッパを含む、請求項１２に記載の装置。
【請求項１５】
前記アプリケータが、前記樹脂注入繊維セグメントを前記アプリケータから前記基板上に流れ出させるための空気流発生器を含む、請求項１４に記載の装置。
【手続補正２】
【補正対象書類名】明細書
【補正対象項目名】００６５
【補正方法】変更
【補正の内容】
【００６５】
上述した種々の例示的な実施形態の記載は、例示及び説明を目的とするものであり、網羅的であること、又は開示された形の実施形態に限定することを意図していない。当業者には、多数の修正例及び変形例が明らかであろう。さらに、異なる例示的な実施形態は、他の例示的な実施形態と比較して、異なる利点を提供しうる。選択された一又は複数の実施形態は、実施形態の原理、実際の応用を最もよく説明するため、及び他の当業者に対し、様々な実施形態と、考慮される特定の用途に適した様々な修正例との開示の理解を促すために、選択され記述されている。
本発明は以下の態様を含む。
（態様１）
不連続強化繊維を有する複合特徴部を形成する方法であって、
各々が一方向性強化繊維を有する複数の樹脂注入繊維セグメントを製造すること、
前記樹脂注入繊維セグメントを基板上に配置すること、及び
前記基板上に配置された樹脂注入繊維セグメントの前記強化繊維が、所望の参照方向に対して実質的に整列されるように、前記樹脂注入繊維セグメントを配列すること、を含む方法。
（態様２）
前記樹脂注入繊維セグメントを製造することは、廃物繊維プリプレグを個片に切り刻むことを含む、態様１に記載の方法。
（態様３）
前記樹脂注入繊維セグメントを製造することは、前記強化繊維に沿って及び前記強化繊維の間で繊維プリプレグを個片に分割することによって実行される、態様１に記載の方法。
（態様４）
前記樹脂注入繊維セグメントを前記基板上に配置することは、
アプリケータを前記基板上方で移動させること、及び
前記アプリケータが前記基板上方を移動しながら、前記アプリケータから前記樹脂注入繊維セグメントを前記基板上に分配することを含む、態様１に記載の方法。
（態様５）
前記樹脂注入繊維セグメントを配列することは、前記樹脂注入繊維セグメントが前記アプリケータから基板上に分配されながら、前記樹脂注入繊維セグメントを整列させることを含む、態様４に記載の方法。
（態様６）
前記樹脂注入繊維セグメントを製造することは、
前記アプリケータから連続繊維プリプレグテープを引き出すこと、及び
前記樹脂注入繊維セグメントが前記アプリケータから前記基板上に分配されながら、前記プリプレグテープを前記樹脂注入繊維セグメントに切り刻むことによって実行される、態様４に記載の方法。
（態様７）
前記アプリケータから前記樹脂注入繊維セグメントを分配することは、ある帯幅の前記樹脂注入繊維セグメントを前記基板上に分配することを含む、態様４に記載の方法。
（態様８）
前記樹脂注入繊維セグメントを前記基板上に配置することは、前記樹脂注入繊維セグメントを空気流の中に導入すること、及び前記空気流を用いて、アプリケータヘッドから前記樹脂注入繊維セグメントを前記基板上に流れ出させることによって実行される、態様１に記載の方法。
（態様９）
前記樹脂注入繊維セグメントを流れ出させることは、
前記樹脂注入繊維セグメントを空気流の中に導入すること、及び
前記空気流を用いて、前記樹脂注入繊維セグメントを前記基板上に射出することによって実行される、態様８に記載の方法。
（態様１０）
前記樹脂注入繊維セグメントを配列することは、前記樹脂注入繊維セグメントが前記基板上に配置された後に実行される、態様１に記載の方法。
（態様１１）
前記樹脂注入繊維セグメントが前記基板上に配置される前に、樹脂を前記基板に塗布することを更に含む、態様１に記載の方法。
（態様１２）
前記樹脂注入繊維セグメントが前記基板上に配置される前に、前記樹脂注入繊維セグメントの各々の少なくとも一端に樹脂を塗布することを更に含む、態様１に記載の方法。
（態様１３）
複合材料を基板上にレイアップする方法であって、
個々の切り刻まれた繊維プリプレグセグメントを前記基板上に配置すること、及び
前記基板上で前記プリプレグセグメントの方向を制御することを含む、方法。
（態様１４）
前記プリプレグセグメントを前記基板上に配置することは、
アプリケータヘッドを前記基板上方で所望の経路に沿って移動させること、及び
前記アプリケータが前記基板上方を移動しながら、前記アプリケータヘッドから前記プリプレグセグメントを前記基板上に分配することによって実行される、態様１３に記載の方法。
（態様１５）
前記プリプレグセグメントの方向を制御することは、前記アプリケータヘッドから分配されている前記プリプレグセグメントを、所望の方向に対して実質的に整列させることによって実行される、態様１４に記載の方法。
（態様１６）
前記プリプレグセグメントの方向を制御することは、前記プリプレグセグメントが前記基板上に配置された後に、前記プリプレグセグメントの前記方向を変えることを含む、態様１３に記載の方法。
（態様１７）
複合材料の複数の層を含む複合ラミネート構造体レイアップであって、
前記層の各々が、実質的に整列された繊維方向を有する複数の個々の切り刻まれた繊維プリプレグセグメントを含む、複合ラミネート構造体レイアップ。
（態様１８）
前記切り刻まれた繊維プリプレグセグメントの前記繊維方向が、前記複合ラミネート構造体を通る非直線の荷重経路に実質的に整列される、態様１７に記載の複合ラミネート構造体レイアップ。
（態様１９）
前記個々の切り刻まれた繊維プリプレグセグメントの各々が、約６：１のアスペクト比を有する、態様１７に記載の複合ラミネート構造体レイアップ。
（態様２０）
複合材料の前記複数の層が、調整された断面形状を有し、前記レイアップの長さに沿って輪郭付けられている、態様１７に記載の複合ラミネート構造体レイアップ。
（態様２１）
基板の上方で移動し、実質的に整列された、切り刻まれた樹脂注入繊維セグメントの少なくとも一つのストリームを前記基板上に分配するように適合されたアプリケータを含む、複合構造体をレイアップするための装置。
（態様２２）
前記基板上方のあらかじめ選択された経路に沿って前記アプリケータを移動させるためのコンピュータ制御のマニピュレータを更に含む、態様２１に記載の装置。
（態様２３）
前記アプリケータが、
連続樹脂注入繊維の供給部、及び
前記連続樹脂注入繊維を個々の樹脂注入繊維セグメントに切り刻むためのチョッパを含む、態様２１に記載の装置。
（態様２４）
前記アプリケータが、前記樹脂注入繊維セグメントを前記アプリケータから前記基板上に流れ出させるための空気流発生器を含む、態様２３に記載の装置。
（態様２５）
前記アプリケータが、実質的に整列された、切り刻まれた樹脂注入繊維セグメントの複数のストリームを前記基板上に同時に分配するように適合される、態様２１に記載の装置。